【事件の表示】
　特願２０１２−１２４２６６「画像形成装置」拒絶査定不服審判事件〔平成２５年１２月１２日出願公開、特開２０１３−２５０７１５、請求項の数（７）〕について、次のとおり審決する。
【結　論】
　原査定を取り消す。
　本願の発明は、特許すべきものとする。
【理　由】
第１　手続の経緯
　本願は、平成２４年５月３１日を出願日とする出願であって、平成２６年８月２０日付けで拒絶理由が通知され、同年１０月２０日付けで手続補正がされ、同年１１月１１日付けで拒絶査定がなされ、これに対して、平成２７年２月６日に拒絶査定不服審判が請求されるとともに手続補正がされたものである。
　
第２　平成２７年２月６日付けの手続補正（以下、「本件補正」という。）の適否
１．補正の内容
　本件補正は、補正前の特許請求の範囲の請求項１を、補正後の特許請求の範囲の請求項１に変更する補正事項（以下、「補正事項１」という。）を含むものである。
　そして、補正前の請求項１及び補正後の請求項１の各記載は、それぞれ、以下のとおりである。
　なお、〈補正後の請求項１〉における下線は補正箇所を表している。
〈補正前の請求項１〉
「【請求項１】
　情報が表示される表示部と、
　所定の複数の機能を実行する制御部と、
　前記複数の機能のそれぞれに対応付けられた、各機能の設定内容となり得る複数の選択肢に対応する複数の選択肢画像のうち、前記表示部において予め定められた大きさに区画された表示領域である選択肢表示領域に表示する予め定められた設定表示数の選択肢画像を通常画像として選択する画像選択部と、
　前記機能の選択指示を受け付ける選択指示受付部と、　前記選択指示受付部によって前記機能の選択指示が受け付けられた場合に、当該選択指示に対応する機能である被選択機能に対応付けられた選択肢画像が前記設定表示数より多いときは、前記被選択機能に対応付けられた前記複数の選択肢画像のうち、前記設定表示数より多くの選択肢画像を選択する臨時画像選択部と、
　前記選択指示受付部によって前記機能の選択指示が受け付けられた場合、前記被選択機能に対応付けられた前記複数の選択肢画像のうち、前記設定表示数の選択肢画像を前記通常画像として前記画像選択部によって選択させる処理と、前記通常画像を前記選択肢表示領域に表示する通常表示処理と、を行う通常表示制御部と、
　前記臨時画像選択部によって前記設定表示数より多くの選択肢画像が選択された場合、前記通常表示制御部が前記選択させる処理と前記通常表示処理とを行う前に、前記機能の選択指示の受け付け時点から予め定められた制限時間が経過するまでの間、前記臨時画像選択部によって選択された前記設定表示数より多くの選択肢画像を前記表示部に表示させる強調表示処理を実行する強調表示制御部と、
を備える画像形成装置。」
〈補正後の請求項１〉
「【請求項１】
　情報が表示される表示部と、
　所定の複数の機能を実行する制御部と、
　前記複数の機能のそれぞれに対応付けられた、各機能の設定内容となり得る複数の選択肢に対応する複数の選択肢画像のうち、前記表示部において予め定められた大きさに区画された表示領域である選択肢表示領域に表示する予め定められた設定表示数の選択肢画像を通常画像として選択する画像選択部と、
　前記機能の選択指示を受け付ける選択指示受付部と、
　前記選択指示受付部によって前記機能の選択指示が受け付けられた場合に、当該選択指示に対応する機能である被選択機能に対応付けられた選択肢画像が前記設定表示数より多いときは、前記被選択機能に対応付けられた前記複数の選択肢画像のうち、前記設定表示数より多くの選択肢画像を選択する臨時画像選択部と、
　前記選択指示受付部によって前記機能の選択指示が受け付けられた場合、前記被選択機能に対応付けられた前記複数の選択肢画像のうち、前記設定表示数の選択肢画像を前記通常画像として前記画像選択部によって選択させる処理と、前記通常画像を前記選択肢表示領域に表示する通常表示処理と、を行う通常表示制御部と、
　前記臨時画像選択部によって前記設定表示数より多くの選択肢画像が選択された場合、前記通常表示制御部が前記選択させる処理と前記通常表示処理とを行う前に、前記機能の選択指示の受け付け時点から予め定められた制限時間が経過するまでの間
だけ
を備える画像形成装置。」
２．本件補正に対する判断
　本件補正の内の補正事項１は、補正前の請求項１に記載のあった発明を特定するために必要な事項である「前記通常表示制御部が前記選択させる処理と前記通常表示処理とを行う前に、前記機能の選択指示の受け付け時点から予め定められた制限時間が経過するまでの間、前記臨時画像選択部によって選択された前記設定表示数より多くの選択肢画像を前記表示部に表示させる強調表示処理を実行する強調表示制御部」に関して、強調表示処理を実行するのは、「前記機能の選択指示の受け付け時点から予め定められた制限時間が経過するまでの間だけ」に限定したものであり、かつ、補正の前後において、請求項１の産業上の利用分野及び解決しようとする課題は同一であるから、特許法第１７条の２第５項第２号と特許請求の範囲の減縮を目的とするものに該当する。
　また、特許法第１７条の２第３項、第４項に違反するところはない。
　そこで、本件補正後の前記請求項１に記載された発明（以下、本願の請求項１に係る各発明を「本願補正発明」という。）が特許出願の際独立して特許を受けることができるものであるか（特許法第１７条の２第６項において準用する同法第１２６条第７項の規定に適合するか）について、以下に検討する。
２−１．本願補正発明
　本願補正発明は、上記「１．」の〈補正後の請求項１〉の欄に転記したとおりのものである。
　
２−２．特許法第２９条第２項の規定への該当性（進歩性）について
（１）引用例の記載事項と引用例記載の発明
　原査定で引用された本願出願日前に頒布された、特開２００７−１４０５８９号公報（以下、「引用例」という。）には、図面とともに以下の事項が記載されている。
ａ）「【００５８】
  本発明は、設定対象装置における処理の条件を設定するための設定画面を表示装置に表示させる情報処理装置に係るものである。本発明に係る情報処理装置が設定する機能は、例えば、プリンタにおける印刷処理や、各種のアプリケーション（文書作成ソフトや画像編集ソフトなど）における情報処理、製造装置に対する制御処理などに関する機能である。なお、以下では、本発明の実施形態として、
プリンタ２における印刷処理に関する複数の機能の設定を行う装置
【００５９】
  本発明の一実施形態について図１ないし図２５に基づいて説明すると以下の通りである。
【００６０】
  （プリントシステムの全体構成）
  図１は、本実施形態に係るプリントシステムの構成を示すブロック図である。図１で示されるように、本実施形態の
プリントシステムは、ホスト装置（情報処理装置）１とプリンタ（設定対象装置）２と表示装置３と入力装置４とを備え
【００６１】
  
ホスト装置１は、
作成された画像データを、ユーザ入力によって設定された印刷条件に基づいて印刷データに加工するとともに、プリンタ２が印刷処理を行う際の処理命令を生成し、生成した印刷データおよび処理命令を含む印刷ジョブをプリンタ２に出力
【００６２】
  プリンタ２は、ホスト装置１から受けた印刷ジョブに応じた画像を用紙等の記録媒体に形成し、該記録媒体を排出する。なお、ホスト装置１とプリンタ２とは、ＵＳＢ等のケーブルや通信ネットワークを介して接続されている。
【００６３】
  
表示装置３は、
ホスト装置１の制御に従った画像を表示
入力装置４は、
ユーザによって入力された指示をホスト装置１に出力
また、
ユーザ操作に従って、表示装置３の表示画面上の位置を指定する
【００６４】
  （ホスト装置の構成）
  図１に示されるように、
ホスト装置１は、アプリケーション部１１とプリンタドライバ部１２とを備え
【００６５】
  
アプリケーション部１１は、各種のアプリケーション
に従った処理を行い、画像データを作成
【００６６】
  プリンタドライバ部１２は、プリンタ２に対応したプリンタドライバのプログラムに従って、ＣＰＵなどの演算装置が動作を行う機能ブロックである。
プリンタドライバ部１２は、アプリケーション部１１から出力された画像データを印刷する際の印刷条件を設定し、設定した印刷条件に従った印刷ジョブを生成
【００６７】
  
プリンタドライバ部１２は、表示装置３に印刷条件の設定画面を表示させ、ユーザ所望の印刷機能の選択と選択した印刷機能の詳細条件の入力とを促し、ユーザ入力に応じて、印刷条件を設定する
【００６８】
  ここで、印刷機能としては、例えば、
・印刷部数設定機能：印刷する部数を設定する機能
・用紙サイズ設定機能：プリンタ２で画像が形成される用紙のサイズを設定する機能
・両面印刷機能：片面印刷、両面印刷、中綴じ印刷などを設定する機能
・Ｎ−ＵＰ印刷機能：複数（Ｎ）ページを１枚の用紙にまとめて印刷する機能
・用紙方向設定機能：用紙方向を設定する機能
・フィットページ機能：印刷する用紙のサイズにフィットするように原稿画像のサイズを調整する機能
・縦横独立変倍機能：画像の縦横比を変更する機能
・ポスター印刷機能：１ページの画像を複数に分割し、分割した画像を異なる用紙に印刷する機能
・オーバーレイ機能：他の画像を重ねて印刷する機能
・ウォーターマーク機能：「極秘」「重要」等のすかし文字を印刷する機能
・Ｅｄｇｅ  ｔｏ  Ｅｄｇｅ機能：印刷データを最大印刷可能領域に印刷する機能
・１８０度回転機能：印刷する画像を１８０度回転させる機能
・線幅調整機能：線幅を調整する機能
・パンチ機能：印刷された用紙の端部にパンチ孔を形成する機能
・ステープル機能：印刷された複数枚の用紙をステープラーで綴じる機能
・とじしろ機能：端部にとじしろのための余白を形成する機能
・ＯＨＰ合い紙機能：印刷データの各ページの間に合い紙を挿入する機能
などがある。
【００６９】
  
印刷機能には、印刷する際に何らかの詳細条件で必ず使用する基本機能
と、それ以外の拡張機能とがある
【００７０】
  そして、
印刷条件は、各基本機能の詳細条件、および、ユーザが選択した拡張機能の詳細条件を含む
【００７１】
  図１に示されるように、
プリンタドライバ部１２は、設定画面表示処理部１３と、
コンテンツ管理部（記憶装置）１５と
を備え
【００７２】
  
設定画面表示処理部１３は、印刷条件の設定をユーザに促すための設定画面を表示装置３に表示する処理を行うもので
設定画面表示処理部１３は、基本画面表示処理部（設定画面切替手段）２０と、スクロール処理部（第１表示処理手段）２１と、一覧画面処理部２２と
を備え
【００７３】
  また、印刷条件設定部１４は、設定画面に対するユーザ入力を入力装置４から取得し、該ユーザ入力に従って印刷条件を設定するものである。印刷条件設定部１４は、基本機能設定部２４と拡張機能設定部（機能設定手段）２５とを備える。
以下、各ブロックについて説明する。
【００７４】
  
コンテンツ管理部１５は、複数の拡張機能の各々を示す拡張機能アイコンを管理するもので
各拡張機能について、当該拡張機能を識別する識別情報（ここでは拡張機能名）と、拡張機能アイコンと、
当該拡張機能が属するグループの名称（グループ名）とを対応付けたテーブルを管理する
【００７５】
  なお、本実施形態では、グループ名として、「仕上げ」「イメージ調整」「便利な機能」とがある。
【００７６】
  「仕上げ」のグループは、印刷された用紙等の記録媒体に対する最終的な仕上げに関する拡張機能、例えば、「パンチ」「ステープル」「とじしろ」「用紙挿入」などの拡張機能が属するグループである。「イメージ調整」のグループは、印刷される画像の調整に関する拡張機能、例えば、「解像度」「スムージング」「コントラスト」などの拡張機能が属するグループである。「便利な機能」のグループは、上記「仕上げ」および「イメージ調整」に属さない拡張機能、例えば、「フィットページ」「オーバーレイ」「ポスター印刷」などの拡張機能を含むものである。なお、これらの分類は適宜変更可能であり、これらに限定されるものではない。
【００７７】
  使用頻度管理部１９は、拡張機能ごとの使用頻度を示す使用頻度テーブルを管理するものである。本実施形態では、使用頻度管理部１９は、各拡張機能の使用頻度として、過去１週間において使用した回数を管理する。ただし、使用頻度はこれに限定されるものではない。図４は、使用頻度管理部１９が管理する使用頻度テーブルの一例を示す図である。
【００７８】
  
基本画面表示処理部２０は、ユーザ入力に応じて、設定画面としてメイン設定画面（第１設定画面）および一覧表示設定画面（サブ設定画面）（第２設定画面）のいずれかを表示する
【００７９】
 
 メイン設定画面５０は、
上記拡張機能アイコンが所定方向に
順次表示される領域Ｂ１
を含む
【００８０】
  
一方、一覧表示設定画面６０は、
上記拡張機能アイコンの一覧が表示される領域Ｂ２
を含む
【００８１】
  なお、
基本画面表示処理部２０は、領域
について枠のみを表示し、各領域内の表示処理は、
、スクロール処理部２１、一覧画面処理部２２
によって行われ
【００８２】
  スクロール処理部２１は、上記メイン設定画面５０の領域Ｂ１に、複数の拡張機能アイコンを、所定方向（ここでは、右から左の方向）に移動させながら、順次表示させる処理を行うものである。
【００８３】
  具体的には、
スクロール処理部２１は、コンテンツ管理部１５から全ての拡張機能アイコンを読み出し、読み出した複数の拡張機能アイコンを、
領域Ｂ１に移動させながら順次表示
【００８４】
  
一覧画面処理部２２は、
領域Ｂ２に、拡張機能アイコンの一覧を表示する処理を行うもので
グループ特定部（指定手段）２２ａと、拡張機能アイコン取得部（機能画像取得手段）２２ｂと、
一覧表示処理部（第２表示処理手段）２２ｄとを備え
【００８５】
  
グループ特定部２２ａは、ユーザ入力に応じて、一覧表示設定画面６０の領域Ｂ２に一覧表示する拡張機能アイコンのグループを特定し
【００８６】
  
拡張機能アイコン取得部２２ｂは、グループ特定部２２ａから受けたグループ名に属する拡張機能アイコンを、コンテンツ管理部１５から読み出すもので
【００８７】
  アイコンサイズ調整部２２ｃは、拡張機能アイコン取得部２２ｂが読み出した拡張機能アイコンを互いに重なることなく領域Ｂ２内に全て表示するために、各拡張機能アイコンのサイズを調整するものである。なお、当該サイズの調整処理の詳細については後述する。
【００８８】
  
一覧表示処理部２２ｄは、
拡張機能アイコンを、
領域Ｂ２に一覧表示するもので
【００８９】
  基本機能設定部２４は、メイン設定画面５０の領域Ａに表示された入力ボタン５１ａ〜５１ｅの操作に従って、各基本機能の詳細条件を設定するものである。基本機能設定部２４は、設定した各基本機能の詳細条件を印刷条件格納部１６に格納する。
【００９０】
  拡張機能設定部２５は、メイン設定画面５０または一覧表示設定画面６０内の拡張機能アイコンがクリックされたことを受けて、クリックされた拡張機能アイコンに対応するダイアログボックスおよび拡張機能名をコンテンツ管理部１５から読み出す。さらに、拡張機能設定部２５は、該ダイアログボックスを表示装置３に表示し、ユーザに対して詳細条件の入力を促し、入力装置４に入力された指示に応じて詳細条件を設定する。拡張機能設定部２５は、設定完了した拡張機能について、拡張機能名と詳細条件とを対応付けて印刷条件格納部１６に格納する。」（【００６０】〜【００９０】の記載。下線は当審で付与。以下、同様。）
ｂ）「【００９６】
  （印刷条件の設定処理全体の流れ）
  次に、プリンタドライバ部１２の処理全体の流れについて、図９のフローチャートを参照しながら説明する。
【００９７】
  まず、プリンタドライバ部１２は、アプリケーション部１１からの要求に応じて起動する（Ｓ１）。
【００９８】
  次に、基本画面表示処理部２０は、図５に示すように、基本機能の詳細条件の入力ボタン５１ａ〜５１ｅを含む領域Ａと、拡張機能アイコンが移動表示される領域Ｂ１と、設定済みアイコンが表示される領域Ｃ１とを備えたメイン設定画面５０を表示する（Ｓ２）。
【００９９】
  次に、スクロール処理部２１は、コンテンツ管理部１５から、全ての拡張機能アイコンを拡張機能名とともに読み出す（Ｓ３）。
【０１００】
  その後、スクロール処理部２１は、使用頻度管理部１９が管理する各拡張機能名の使用頻度を参照して、使用頻度の多い拡張機能名に対応する拡張機能アイコンから順に、所定方向（ここでは、右端から左端の方向）に移動させながら、メイン設定画面５０の領域Ｂ１に順次表示させる（Ｓ４）。
【０１０１】
  図１０は、スクロール処理部２１が領域Ｂ１に拡張機能アイコンを順次表示する処理を示すものである。図１０に示されるように、スクロール処理部２１は、各拡張機能アイコンＩの間隔を所定間隔Ｌ１とし、ｎ番目の使用頻度の拡張機能アイコンＩ―ｎを、領域Ｂ１の右端から左方向に移動させながら表示させ、該拡張機能アイコンＩ―ｎと領域Ｂの右端との距離がＬ１になった際、ｎ＋１番目の使用頻度の拡張機能アイコンＩ―（ｎ＋１）を領域Ｂの右端から表示させる。そして、スクロール処理部２１は、領域Ｂ１の先頭に位置する拡大機能アイコンＩ−ｎ（つまり、領域Ｂ１において最左端に位置している拡張機能アイコンＩ−ｎ）を、領域Ｂの左端まで移動させると、当該拡張機能アイコンＩ−ｎの表示をやめ、他の全ての拡張機能アイコンの表示の後に再度繰り返して表示するようにする。
【０１０２】
  図１１は、使用頻度管理部１９が図４に示す使用頻度テーブルを管理している場合のメイン設定画面５０の一例を示す図である。図１１に示されるように、スクロール処理部２１は、使用頻度の多い順に拡張機能アイコンを領域Ｂ２に順次表示している。
【０１０３】
  次に、基本画面表示処理部２０は、一覧表示設定画面６０への切替指示が入力装置４に入力されたか否かを判断する（Ｓ５）。具体的には、基本画面表示処理部２０は、メイン設定画面５０において、一覧表示設定画面６０への切替ボタン５２（本実施形態では、「便利な機能」ボタン５２ａ、「仕上げ」ボタン５２ｂ、「イメージ調整」ボタン５２ｃ、「すべて表示」ボタン５２ｄを含む）がクリックされた場合に、一覧表示設定画面６０への切替指示が入力されたと判断する。
【０１０４】
  切替ボタン５２のいずれかがクリックされた場合（Ｓ５でＹｅｓ）、基本画面表示処理部２０および一覧画面処理部２２は、一覧表示設定画面６０の表示処理を行う（Ｓ６）。当該一覧表示設定画面６０の表示処理の詳細については後述する。
【０１０５】
  次に、プリンタドライバ部１２は、現在表示している設定画面がメイン設定画面５０であるか否かを判断する（Ｓ７）。
【０１０６】
  現在、一覧表示設定画面６０を表示している場合（Ｓ７でＮｏ）、一覧画面処理部２２は、一覧表示する拡張機能アイコンのグループ変更指示が入力されたか否かを判断し、当該グループ変更指示が入力された場合、一覧表示する拡張機能アイコンを変更する処理を行う（Ｓ８）。なお、Ｓ８の処理の詳細については後述する。
【０１０７】
  その後、基本画面表示処理部２０は、メイン設定画面５０への切替指示が入力されたか否かを判断する（Ｓ９）。本実施形態では、基本画面表示処理部２０は、一覧表示設定画面６０内の「順次表示」ボタン６１（図６参照）がクリックされた場合に、メイン設定画面５０への切替指示が入力されたと判断する。
【０１０８】
  メイン設定画面５０への切替指示が入力された場合（Ｓ９でＹｅｓ）、基本画面表示処理部２０は、一覧表示設定画面６０からメイン設定画面５０に表示を切り替え（Ｓ１０）、上記Ｓ３の処理に戻る。切替指示が入力されない場合（Ｓ９でＮｏ）、Ｓ１３に移行する。
【０１０９】
  一方、現在、メイン設定画面５０を表示している場合（Ｓ７でＹｅｓ）、基本機能設定部２４は、メイン設定画面５０の領域Ａに表示した基本機能の詳細条件の入力ボタン５１ａ〜５１ｅ（図５，図１１参照）がクリックされたか否かを判断する（Ｓ１１）。
【０１１０】
  これら入力ボタン５１ａ〜５１ｅのいずれか一つでもクリックされた場合（Ｓ１１でＹｅｓ）、基本機能設定部２４は、ユーザ入力に応じて、設定条件格納部が記憶する基本機能の詳細条件を更新する（Ｓ１２）。一方、いずれの入力ボタン５１ａ〜５１ｅもクリックされない場合（Ｓ１１でＮｏ）、Ｓ１３の処理に移行する。
【０１１１】
  続いて、Ｓ１３において、拡張機能設定部２５は、メイン設定画面５０の領域Ｂ１または一覧表示設定画面６０の領域Ｂ２に表示された拡張機能アイコンがクリックされたか否かを判断する。
【０１１２】
  拡張機能アイコンがクリックされた場合（Ｓ１３でＹｅｓ）、拡張機能設定部２５は、クリックされた拡張機能アイコンに対応する、詳細条件の入力用のダイアログボックスと拡張機能名とをコンテンツ管理部１５から読み出し、読み出したダイアログボックスを表示装置３に表示させる。そして、拡張機能設定部２５は、当該ダイアログボックスに対するユーザ入力に従って、クリックされた拡張機能アイコンが示す拡張機能の詳細条件を設定し、設定した拡張機能の拡張機能名と詳細条件とを対応付けて印刷条件格納部１６に格納する（Ｓ１４）。
【０１１３】
  その後、設定済みアイコン表示処理部２３は、印刷条件格納部１６に新たな拡張機能設定情報が格納されたことを検知して、当該拡張機能設定情報が示す拡張機能名を印刷条件格納部１６から読み出す。そして、設定済みアイコン表示処理部２３は、当該拡張機能名に対応する設定済みアイコンをコンテンツ管理部１５から読み出し、読み出した設定済みアイコンを設定画面内に表示する（Ｓ１５）。
【０１１４】
  メイン設定画面５０が表示されている場合、設定済みアイコン表示処理部２３は、領域Ｃ１に設定済みアイコンを表示する。また、サブ設定画面が表示されている場合、設定済みアイコン表示処理部２３は、領域Ｃ２に設定済みアイコンを表示する。
【０１１５】
  その後、Ｓ１６の処理に移行する。また、拡張機能アイコンがクリックされない場合（Ｓ１３でＮｏ）にも、Ｓ１６の処理に移行する。
【０１１６】
  そして、Ｓ１６において、プリンタドライバ部１２は、印刷条件の設定キャンセルボタン５３（図５・６・１１参照）がクリックされたか否かを判断する。
【０１１７】
  設定キャンセルボタン５３がクリックされた場合（Ｓ１６でＹｅｓ）、プリンタドライバ部１２は処理を終了する。
【０１１８】
  設定キャンセルボタン５３がクリックされない場合（Ｓ１６でＮｏ）、印刷ジョブ生成部１７は、印刷条件の設定完了ボタン５４（図５・６・１１参照）がクリックされたか否かを判断する（Ｓ１７）。
【０１１９】
  設定完了ボタン５４がクリックされない場合（Ｓ１７でＮｏ）、上記Ｓ７の処理に戻る。一方、設定完了ボタン５４がクリックされた場合（Ｓ１７でＹｅｓ）、印刷ジョブ生成部１７は、アプリケーション部１１から印刷する画像データを取得するとともに、印刷条件格納部１６から、設定された各印刷機能の詳細条件を読み出す。そして、印刷ジョブ生成部１７は、読み出した各印刷機能の詳細条件に基づいて、画像データを印刷データに加工するとともに、プリンタ２への処理命令を生成し、生成した印刷データおよび処理命令からなる印刷ジョブをプリンタ２に出力する（Ｓ１８）。
【０１２０】
  さらに、印刷ジョブ生成部１７は、設定完了ボタン５４がクリックされると、使用頻度更新部１８に対して更新指示を出力する。そして、更新指示を受けた使用頻度更新部１８は、印刷条件格納部１６から拡張機能名（すなわち、詳細条件が設定された拡張機能の拡張機能名）を読み出し、当該拡張機能名と更新指示を受けた時刻（すなわち、当該拡張機能の使用時刻に対応する）とを対応付けた履歴情報を記憶する。そして、使用頻度更新部１８は、自身が記憶する履歴情報に基づいて、各拡張機能について過去一週間に利用した回数を算出し、使用頻度管理部１９が管理する使用頻度を更新する（Ｓ１９）。そして、処理を終了する。
【０１２１】
  （サブ設定画面への切替処理）
  次に、上記Ｓ６で示される一覧表示設定画面６０への切替処理の流れについて、図１２のフローチャートを参照しながら説明する。
【０１２２】
  まず、基本画面表示処理部２０は、表示装置３に表示している設定画面を、メイン設定画面５０から、図６に示されるような、拡張機能アイコンが一覧表示される領域Ｂ２と設定済みの拡張機能に対応する設定済みアイコンが表示される領域Ｃ２とを含む一覧表示設定画面６０に変更する（Ｓ２１）。
【０１２３】
  このとき、基本画面表示処理部２０は、図１３の矢印で示されるように、メイン設定画面５０の領域Ｂ１のサイズを連続的に大きくさせて領域Ｂ２とし、一覧表示設定画面６０に変更してもよい。
【０１２４】
  次に、一覧画面処理部２２のグループ特定部２２ａは、クリックされた切替ボタン５２に従って、一覧表示する拡張機能アイコンのグループを特定し、当該グループのグループ名を拡張機能アイコン取得部２２ｂに出力する（Ｓ２２）。
【０１２５】
  すなわち、グループ特定部２２ａは、「便利な機能」ボタン５２ａ（図５・１１参照）がクリックされた場合、グループ名「便利な機能」を、「仕上げ」ボタン５２ｂがクリックされた場合、グループ名「仕上げ」を、「イメージ調整」ボタン５２ｃがクリックされた場合、グループ名「イメージ調整」を、「全て表示」ボタン５２ｄがクリックされた場合、グループ名「全て」を出力する。
【０１２６】
  次に、拡張機能アイコン取得部２２ｂは、グループ特定部２２ａから受けたグループ名に対応する拡張機能アイコンを拡張機能名とともにコンテンツ管理部１５から読み出す（Ｓ２３）。なお、
拡張機能アイコン取得部２２ｂは、グループ名「全て」を受けた場合、コンテンツ管理部１５が管理する全ての拡張機能アイコンを読み出す
【０１２７】
  続いて、アイコンサイズ調整部２２ｃは、拡張機能アイコン取得部２２ｂが読み出した拡張機能アイコンの全てを互いに重なることなく領域Ｂ２に表示可能か否かを判断する（Ｓ２４）。
【０１２８】
  例えば、アイコンサイズ調整部２２ｃは、拡張機能アイコン取得部２２ｂが読み出した拡張機能アイコンの全てを所定間隔に配置した際の所要画素数と領域Ｂ２内の全画素数とを比較し、所要画素数が領域Ｂ２内の全画素数よりも小さい場合に、全ての拡張機能アイコンを領域Ｂ２に表示可能であると判断する。
【０１２９】
  拡張機能アイコン取得部２２ｂが読み出した拡張機能アイコンの全てを領域Ｂ２に表示できない場合（Ｓ２４でＮｏ）、アイコンサイズ調整部２２ｃは、各拡張機能アイコンのサイズを１％だけ小さくする（Ｓ２５）。その後、再度Ｓ２４の処理に戻る。
【０１３０】
  一方、拡張機能アイコン取得部２２ｂが読み出した拡張機能アイコンの全てを領域Ｂ２に表示可能である場合（Ｓ２４でＮｏ）、アイコンサイズ調整部２２ｃは、拡張機能アイコン取得部２２ｂが読み出した拡張機能アイコン（サイズ調整を行った場合はサイズ調整後の拡張機能アイコン）を一覧表示処理部２２ｄに出力する。
【０１３１】
  そして、一覧表示処理部２２ｄは、コンテンツ管理部１５から読み出した拡張機能名に対応する使用頻度を使用頻度管理部１９から読み出し（Ｓ２６）、アイコンサイズ調整部２２ｃから受けた拡張機能アイコンを、使用頻度の高い順に配列して領域Ｂ２に表示する（Ｓ２７）。図１４は、使用頻度管理部１９が図４に示す使用頻度テーブルを管理しており、「全て表示」ボタン５２ｄがクリックされた場合の一覧表示設定画面６０の一例を示す図である。図１４に示されるように、一覧表示処理部２２ｄは、使用頻度の多い順に拡張機能アイコンを配列した上で領域Ｂ２に表示している。
【０１３２】
  以上により、一覧表示設定画面６０への切替処理を終了し、Ｓ７の処理に戻る。
【０１３３】
  図１５は、「便利な機能」ボタン５２ａがクリックされた場合の一覧表示設定画面６０の一例を示す図である。ここでは、グループ「便利な機能」に属する拡張機能アイコンが８個のみコンテンツ管理部１５に登録されていたとする。この場合、アイコンサイズ調整部２２ｃは、拡張機能アイコンのサイズを調整しなくても、コンテンツ管理部１５から読み出された拡張機能アイコンの全てを領域Ｂ２に表示可能であると判断している。
【０１３４】
  一方、図１６は、「全て表示」ボタン５２ｄがクリックされた場合の一覧表示設定画面６０の一例を示す図である。ここでは、拡張機能アイコンとして全部で２０個がコンテンツ管理部１５に登録されていたとする。この場合、アイコンサイズ調整部２２ｃは、全ての拡張機能アイコンを領域Ｂ２内に一覧表示するために、各拡張機能アイコンのサイズを縮小している。」（【００９６】〜【０１３４】の記載。）
　
　してみると、引用例には以下の発明（以下、「引用例記載の発明」という。）が記載されている。
「ホスト装置（情報処理装置）１とプリンタ（設定対象装置）２と表示装置３と入力装置４とを備えるプリントシステムであって、
　プリンタ２における印刷処理に関する複数の機能設定を行う装置において、
  ホスト装置１は、作成された画像データを、ユーザ入力によって設定された印刷条件に基づいて印刷データに加工するとともに、プリンタ２が印刷処理を行う際の処理命令を生成し、生成した印刷データおよび処理命令を含む印刷ジョブをプリンタ２に出力し、
  表示装置３は、ホスト装置１の制御に従った画像を表示し、
　入力装置４は、ユーザによって入力された指示をホスト装置１に出力し、また、ユーザ操作に従って、表示装置３の表示画面上の位置を指定するものであり、
　ホスト装置１は、アプリケーション部１１とプリンタドライバ部１２とを備え、
  アプリケーション部１１は、各種のアプリケーションに従った処理を行い、画像データを作成するものであり、
　プリンタドライバ部１２は、アプリケーション部１１から出力された画像データを印刷する際の印刷条件を設定し、設定した印刷条件に従った印刷ジョブを生成し、表示装置３に印刷条件の設定画面を表示させ、ユーザ所望の印刷機能の選択と選択した印刷機能の詳細条件の入力とを促し、ユーザ入力に応じて、印刷条件を設定するものであり、
　ここで、印刷機能には、印刷する際に何らかの詳細条件で必ず使用する基本機能と、それ以外の拡張機能とがあり、印刷条件は、各基本機能の詳細条件、および、ユーザが選択した拡張機能の詳細条件を含むものであり、
　また、プリンタドライバ部１２は、設定画面表示処理部１３と、コンテンツ管理部（記憶装置）１５とを備え、
　設定画面表示処理部１３は、印刷条件の設定をユーザに促すための設定画面を表示装置３に表示する処理を行うもので、基本画面表示処理部（設定画面切替手段）２０と、スクロール処理部（第１表示処理手段）２１と、一覧画面処理部２２を備え、
　コンテンツ管理部１５は、複数の拡張機能の各々を示す拡張機能アイコンを管理するもので、各拡張機能について、当該拡張機能を識別する識別情報（ここでは拡張機能名）と、拡張機能アイコンと、当該拡張機能が属するグループの名称（グループ名）とを対応付けたテーブルを管理するものであり、
　基本画面表示処理部２０は、ユーザ入力に応じて、設定画面としてメイン設定画面（第１設定画面）および一覧表示設定画面（サブ設定画面）（第２設定画面）のいずれかを表示するものであり、
　メイン設定画面５０は、上記拡張機能アイコンが所定方向に順次表示される領域Ｂ１を含むものであり、
　一方、一覧表示設定画面６０は、上記拡張機能アイコンの一覧が表示される領域Ｂ２を含むものであり、
　基本画面表示処理部２０は、領域について枠のみを表示し、各領域内の表示処理は、、スクロール処理部２１、一覧画面処理部２２によって行われ、
　スクロール処理部２１は、コンテンツ管理部１５から全ての拡張機能アイコンを読み出し、読み出した複数の拡張機能アイコンを、領域Ｂ１に移動させながら順次表示し、
　一覧画面処理部２２は、領域Ｂ２に、拡張機能アイコンの一覧を表示する処理を行うものであり、グループ特定部（指定手段）２２ａと、拡張機能アイコン取得部（機能画像取得手段）２２ｂと、一覧表示処理部（第２表示処理手段）２２ｄとを備えており、
　グループ特定部２２ａは、ユーザ入力に応じて、一覧表示設定画面６０の領域Ｂ２に一覧表示する拡張機能アイコンのグループを特定するものであり、
　拡張機能アイコン取得部２２ｂは、グループ特定部２２ａから受けたグループ名に属する拡張機能アイコンを、コンテンツ管理部１５から読み出すものであり、グループ名「全て」を受けた場合、コンテンツ管理部１５が管理する全ての拡張機能アイコンを読み出し、
　一覧表示処理部２２ｄは、拡張機能アイコンを、領域Ｂ２に一覧表示するものである
　プリントシステム。」
　
（２）対比
　本願補正発明と引用例記載の発明とを対比する。 
　
ア．引用例記載の発明の「プリントシステム」は本願補正発明の「画像形成装置」に、引用例記載の発明の「表示装置３」は本願補正発明の「情報が表示される表示部」にそれぞれ相当する。
　
イ．引用例記載の発明の「ホスト装置１」は、各種のアプリケーションに従った処理を行う「アプリケーション部１１」を備えたものであるから、本願補正発明の「所定の複数の機能を実行する制御部」に相当する構成を備えるものである。
　
ウ．引用例記載の発明の「拡張機能」は、印刷処理（機能）において、その詳細条件が印刷条件に含まれるものであるから、本願補正発明の「複数の機能のそれぞれに対応付けられた、各機能の設定内容となり得る複数の選択肢」と、「機能に対応付けられた、機能の設定内容となり得る複数の選択肢」である点で共通するといえ、引用例記載の発明の「拡張機能アイコン」は、複数の拡張機能の各々を示すものであるから、本願補正発明の「複数の機能のそれぞれに対応付けられた、各機能の設定内容となり得る複数の選択肢に対応する複数の選択肢画像」と、「機能に対応付けられた、機能の設定内容となり得る複数の選択肢に対応する複数の選択肢画像」である点で共通するといえる。
　また、引用例記載の発明の「メイン設定画面５０」の「領域Ｂ１」は、機能拡張アイコンが所定の方向に順次表示される領域であるから、本願補正発明の「表示部において予め定められた大きさに区画された表示領域である選択肢表示領域」に相当する。
　そして、引用例記載の発明の「スクロール処理部２１」は、コンテンツ管理部１５から全ての機能拡張アイコンを読み出すものであり、読み出した複数の機能拡張アイコンは領域Ｂ１に順次表示されるから、本願補正発明の「前記複数の機能のそれぞれに対応付けられた、各機能の設定内容となり得る複数の選択肢に対応する複数の選択肢画像のうち、前記表示部において予め定められた大きさに区画された表示領域である選択肢表示領域に表示する予め定められた設定表示数の選択肢画像を通常画像として選択する画像選択部」と、「前記機能に対応付けられた、機能の設定内容となり得る複数の選択肢に対応する複数の選択肢画像のうち、前記表示部において予め定められた大きさに区画された表示領域である選択肢表示領域に表示する選択肢画像を通常画像として選択する画像選択部」である点で共通するといえる。
　
エ．引用例記載の発明の「ホスト装置１」は、「アプリケーション部１１」により各種のアプリケーションに従った処理を行うものであるから、処理を行わせるアプリケーションを指定する手段を有することは明らかであり、「前記機能の選択指示を受け付ける選択指示受付部」といい得る構成を有するといえる。
　
オ．引用例記載の発明の「一覧画面処理部２２」が備える「拡張機能アイコン取得部２２ｂ」は、拡張機能アイコンを領域Ｂ２に一覧表示するために、グループ名「全て」を受けた場合、コンテンツ管理部１５が管理する全ての拡張機能アイコンを読み出すものであるから、本願補正発明の「前記選択指示受付部によって前記機能の選択指示が受け付けられた場合に、当該選択指示に対応する機能である被選択機能に対応付けられた選択肢画像が前記設定表示数より多いときは、前記被選択機能に対応付けられた前記複数の選択肢画像のうち、前記設定表示数より多くの選択肢画像を選択する臨時画像選択部」と、「前記複数の選択肢画像を選択する臨時画像選択部」である点で共通するといえる。
カ．引用例記載の発明の「基本画像表示処理部２０」は、領域についての枠を表示し、「スクロール処理部２１」は、コンテンツ管理部１５から全ての機能拡張アイコンを読み出し、読み出した複数の機能拡張アイコンを領域Ｂ１に順次表示するから、引用例記載の発明の「基本画像表示処理部２０」及び「スクロール処理部２１」から成る部分は、本願補正発明の「前記選択指示受付部によって前記機能の選択指示が受け付けられた場合、前記被選択機能に対応付けられた前記複数の選択肢画像のうち、前記設定表示数の選択肢画像を前記通常画像として前記画像選択部によって選択させる処理と、前記通常画像を前記選択肢表示領域に表示する通常表示処理と、を行う通常表示制御部」と、「前記複数の選択肢画像を前記通常画像として前記画像選択部によって選択させる処理と、前記通常画像を前記選択肢表示領域に表示する通常表示処理と、を行う通常表示制御部」である点で共通するといえる。
キ．引用例記載の発明の「基本画像表示処理部２０」は、領域についての枠を表示し、「一覧画面処理部２２」は、グループ名「全て」を受けた場合に「拡張機能アイコン取得部２２ｂ」がコンテンツ管理部１５が管理する全ての拡張機能アイコンを読み出したものを領域Ｂ２に一覧表示する処理を行うものであるから、引用例記載の発明の「基本画像表示処理部２０」及び「一覧画面処理部２２」から成る部分は、本願補正発明の「前記臨時画像選択部によって前記設定表示数より多くの選択肢画像が選択された場合、前記通常表示制御部が前記選択させる処理と前記通常表示処理とを行う前に、前記機能の選択指示の受け付け時点から予め定められた制限時間が経過するまでの間だけ、前記臨時画像選択部によって選択された前記設定表示数より多くの選択肢画像を前記表示部に表示させる強調表示処理を実行する強調表示制御部」と、「前記臨時画像選択部によって選択された選択肢画像を前記表示部に表示させる強調表示処理を実行する強調表示制御部」である点で共通するといえる。
　したがって、両者は以下の一致点と相違点とを有する。 
　
〈一致点〉
「情報が表示される表示部と、
　所定の複数の機能を実行する制御部と、
　前記機能に対応付けられた、機能の設定内容となり得る複数の選択肢に対応する複数の選択肢画像のうち、前記表示部において予め定められた大きさに区画された表示領域である選択肢表示領域に表示する選択肢画像を通常画像として選択する画像選択部と、
　前記機能の選択指示を受け付ける選択指示受付部と、
　前記複数の選択肢画像を選択する臨時画像選択部と、
　前記複数の選択肢画像を前記通常画像として前記画像選択部によって選択させる処理と、前記通常画像を前記選択肢表示領域に表示する通常表示処理と、を行う通常表示制御部と、
　前記臨時画像選択部によって選択された選択肢画像を前記表示部に表示させる強調表示処理を実行する強調表示制御部と、
を備える画像形成装置。」
　
〈相違点１〉
　本願補正発明の「選択肢」は、「複数の機能のそれぞれに対応付けられた、各機能の設定内容となり得る」ものであるのに対し、引用例記載の発明の「拡張機能」は、「印刷処理」の機能の設定内容となり得るものであるが、「印刷処理」以外の機能に関しては記載されていない点。
〈相違点２〉
　本願補正発明の「画像選択部」は、「複数の選択肢に対応する複数の選択肢画像」のうち「予め定められた設定表示数の選択肢画像」を選択するものであるのに対し、引用例記載の発明の「スクロール処理部２１」は、「拡張機能」に対応する「拡張機能アイコン」を「コンテンツ管理部１５」から全て読み出すものである点。
　
〈相違点３〉
　本願補正発明の「臨時画像選択部」は、「前記選択指示受付部によって前記機能の選択指示が受け付けられた場合に、当該選択指示に対応する機能である被選択機能に対応付けられた選択肢画像が前記設定表示数より多いときは、前記被選択機能に対応付けられた前記複数の選択肢画像のうち、前記設定表示数より多くの選択肢画像」を選択するものであるのに対し、引用例記載の発明の「拡張機能アイコン取得部２２ｂ」は、そのような選択を行うものではない点。
〈相違点４〉
　本願補正発明の「通常表示制御部」は、「前記選択指示受付部によって前記機能の選択指示が受け付けられた場合、前記被選択機能に対応付けられた前記複数の選択肢画像のうち、前記設定表示数の選択肢画像」を選択させるものであるのに対し、引用例記載の「基本画像表示処理部２０」及び「スクロール処理部２１」からなる部分は、そのような選択を行うものではない点。
〈相違点５〉
　本願補正発明の「強調表示制御部」は、「前記臨時画像選択部によって前記設定表示数より多くの選択肢画像が選択された場合、前記通常表示制御部が前記選択させる処理と前記通常表示処理とを行う前に、前記機能の選択指示の受け付け時点から予め定められた制限時間が経過するまでの間だけ」、「前記設定表示数より多くの選択肢画像」を表示させるものであるのに対し、引用例記載の「基本画像表示処理部２０」及び「一覧画面処理部２２」からなる部分は、そのような表示を行うものではない点。
（３）判断
〈相違点２及び相違点４についての判断〉
　引用例記載の発明の「スクロール処理手段２１」は、全ての「拡張機能アイコン」を読み出すものであり、読み出された「機能拡張アイコン」は、「メイン設定画面」に含まれる「領域Ｂ１」に、移動させられながら順次表示されるものである。
　そして、「メイン設定画面」は、読み出された「機能拡張アイコン」を移動させながら順次表示するものであるから、表示数以上の「機能拡張アイコン」を読み出さなければ、移動させながら順次表示できないことは明らかであり、読み出す「機能拡張アイコン」の数を「予め定められた設定表示数」とすることには、阻害要因があると言える。
　したがって、引用例記載の発明において、相違点２及び４に係る本願補正発明の構成を採用することは、当業者が容易になし得たこととはいえない。
〈相違点５についての判断〉
　特開２００４−１８４１７６号公報の【００５６】、特開２０１１−１１３２５６号公報の【００８５】、特開２０１２−３２９８８号公報の【００８１】、図９、特開２０１２−８５０９１号公報の【００６９】に記載されるように、予め定められた時間のみ別の表示を行い、当該時間経過後に表示を変更すること自体は周知技術であるものと認められる。
　しかしながら、引用例記載の発明は、ユーザ入力に応じて「メイン設定画面」と「一覧表示設定画面」のいずれかを表示するもの、すなわち、ユーザの選択に応じた画面を表示するものであるから、ユーザの選択に応じた画面が直ちに表示されるものとするのが自然であり、ユーザの選択に応じた画面を表示させるにあたり、所定時間ユーザの選択に応じた画面とは異なる画面を表示すべき理由は認められない。
　したがって、上記周知技術を考慮しても、引用例記載の発明において相違点５に係る本願補正発明の構成を採用することは、当業者が容易になし得たこととはいえない。
　そして、本願補正発明は、「前記通常表示制御部が前記選択させる処理と前記通常表示処理とを行う前に、前記機能の選択指示の受け付け時点から予め定められた制限時間が経過するまでの間だけ」、「前記設定表示数より多くの選択肢画像」を表示させることにより、「ユーザーは表示されるアイコンの数の変化を視認することができ」、「被選択機能の設定内容となり得る選択肢の数が設定表示数Ｃよりも多く存在することに気づき易くなり、機能の設定内容となり得る選択肢の存在に気づかない虞を軽減することができる」という、引用例記載の発明では得ることができない作用効果を奏するものである。
　以上のとおりであるから、相違点１、相違点３について検討するまでもなく、本願補正発明は、引用例記載の発明及び上記周知例に記載された技術に基づいて、当業者が容易に発明をすることができたとはいえない。
　よって、本件補正の補正事項１は、特許法第１７条の２第６項において準用する同法第１２６条第７項の規定に適合する。
　
　本件補正のその余の補正事項についても、特許法第１７条の２第３項ないし第６項の規定に違反するところはない。
　
２−３．むすび
　以上のとおり本件補正は、特許法第１７条の２第３項ないし第６項の規定に適合する。
第３　本願発明について
　本願補正は上記のとおり、特許法第１７条の２第３項ないし第６項の規定に適合するから、本願の請求項１〜７に係る発明は、本件補正により補正された特許請求の範囲の請求項１〜７に記載された事項により特定されるとおりのものである。
　そして、本願については、原査定の拒絶理由を検討してもその理由によって拒絶すべきものとすることはできない。
　以上のとおり、本願発明１〜７は、引用例記載の発明及び上記周知例に記載された技術に基づいて、当業者が容易に発明をすることができたものとすることができないから、原査定の理由によっては、本願を拒絶することはできない。
　また、他に本願を拒絶するべき理由を発見しない。
　よって、結論のとおり審決する。